(57)【要約】【課題】本発明は解像度設定のホットキーを有するポインター装置とその設定方法に関する。【解決手段】本発明に係るポインター装置はホットキー、マイクロプロセッサー、光学センサーを含む。ポインター装置は予め設定したx軸解像度とy軸解像度を有し前記予め設定したx軸解像度とy軸解像度は同一であるが、ポインター装置のホットキーが押されると、解像度の調整信号が発生し、前記予め設定したx軸解像度とy軸解像度を異ならせる。【選択図】図１
2008130076.tif 000002
【特許請求の範囲】
【請求項１】
ポインター装置にx軸解像度とy軸解像度を予め設定でき、前記予め設定したx軸解像度とy軸解像度が同一である解像度設定を有するホットキーのポインター装置であって、
前記ポインター装置は解像度の調整信号を発するホットキーを持ち、前記ポインター装置は前記解像度の調整信号の発生により前記予め設定したx軸解像度とy軸解像度を異なるようにさせることを特徴とする解像度設定のホットキーを有するポインター装置。
【請求項２】
さらに前記ポインター装置が二次元平面で移動する方向と距離を検知するために前記ポインター装置内に設置される光学センサーと、
前記ポインター装置内に設置され、前記解像度の調整信号を受信した後、演算処理を行い前記x軸解像度がy軸解像度より高くなるようにさせるマイクロプロセッサーを含むことを特徴とする請求項1に記載する解像度設定のホットキーを有するポインター装置。
【請求項３】
前記演算処理が補間演算処理であることを特徴とする請求項２に記載する解像度設定のホットキーを有するポインター装置。
【請求項４】
さらに前記ポインター装置内に設置され、前記解像度の調整信号を受信した後調整信号を送信するマイクロプロセッサーと、
前記ポインター装置内に設置され、前記ポインター装置が二次元平面で移動する方向と距離を検知し、前記調整信号を受信した後、前記x軸解像度を調整し前記x軸解像度がy軸解像度より高くなるようにさせるための光学センサーを含むことを特徴とする請求項1に記載する解像度設定のホットキーを有するポインター装置。
【請求項５】
前記ポインター装置が光学式マウスであることを特徴とする請求項1に記載する解像度設定のホットキーを有するポインター装置。
【請求項６】
前記マウスはx軸解像度とy軸解像度を有し、その方法は
前記マウス内に設置されているホットキーを押す工程と、
前記マウス内に設置されているマイクロプロセッサーの演算処理を可能にし、前記x軸解像度が前記y軸解像度より高くなるようにさせる工程を含むことを特徴とするワイド-スクリーンに用いられるマウスの解像度調整方法。
【請求項７】
前記演算処理が補間演算処理であることを特徴とする請求項６に記載する解像度設定のホットキーを有するポインター装置。
【請求項８】
前記マウスはx軸解像度とy軸解像度を有し、その方法は
前記マウス内に設置されているホットキーを押す工程と、
前記マウス内に設置されている光学センサーの前記x軸解像度を調整し、前記光学センサーの前記x軸解像度が前記y軸解像度より高くなるようにさせる工程を含むことを特徴とする解像度設定のホットキーを有するポインター装置。
【発明の詳細な説明】
【技術分野】
【０００１】
本発明は解像度設定のホットキーを有するポインター装置とその設定方法に関わり、ワイドスクリーンに用いるのに適するように、特に駆動プログラムを別に設置する必要がなく、ホットキーによりx軸解像度とy軸解像度を変更できるポインター装置とその方法に関わる。
【背景技術】
【０００２】
パソコンの普及とウインドウズ（登録商標）OSの流行にともない、マウスの使用はパソコンの操作時に不可欠なものとなっている。この他、ディスプレイ製造技術の改良と進歩により、新型ディスプレイの画面解像度はますます高くなってきている。今まで、ディスプレイの解像度はQVGA(320*240dpi)、VGA(640*480dpi)、SVGA(800*600dpi)、XGA(1024*768dpi)、SXGA(1280*1024dpi)、UXGA(1600*1200dpi)など異なる解像度の規格があったが、一般的にスクリーンの幅と高さの比率はみな大体4：3である。しかしここ数年、ワイドスクリーンが人の視覚に合っており、可視幅範囲は可視高さ範囲より大きいという特性により、幅と高さの比率が16：10というワイドスクリーンが従来の4：3スクリーンに取って変わってきている。
【０００３】
従来の4：3スクリーンの幅と高さの差が小さいので、従来のマウスはx軸解像度、y軸解像度に対してともに１：１の比率が採用されている。従来技術において、高い解像度に対応するためにスクリーンによりマウスの解像度が調整されるが、x軸解像度とy軸解像度は例えば800*800dpiから1024*1024dpiのように同時に引き上げられる。
【発明の開示】
【発明が解決しようとする課題】
【０００４】
しかしワイドスクリーンは幅と高さの比率の差が大きいので、ユーザーがマウスを操作するとき、小さな操作でマウスの縦方向の移動ができるが、マウスの横方向の移動には大きな操作が必要となる。従来技術ではユーザーが設定する駆動プログラムの方式により、x軸とy軸解像度が異なる値になるように調整することができるが、この方法はユーザーが駆動プログラムを設定してはじめて成り立つため、ユーザーの使用時における利便性に合致しない。これに鑑み、本発明は解像度設定のホットキーを有するマウスを提案し、ユーザーがホットキーを押すことでマウスのx軸解像度、y軸解像度をすぐに変更できるという目的を達成でき、且つマウスがスクリーン上で使用できるように、x軸解像度はy軸解像度より高くなる。
【課題を解決するための手段】
【０００５】
本発明は解像度設定のホットキーを有するポインター装置とその設定方法に関わり、ワイドスクリーンに用いるのに適するように、特に駆動プログラムを別に設置する必要がなく、ホットキーによりx軸解像度とy軸解像度を変更できるポインター装置とその方法に関わる。
【０００６】
本発明の最適な実施例は、解像度設定のホットキーを有するポインター装置を提供し、前記ポインター装置は予め設定したx軸解像度とy軸解像度を有し、前記予め設定したx軸解像度とy軸解像度は同一である。前記ポインター装置は解像度の調整信号を発するホットキーを持ち、前記ポインター装置は前記解像度の調整信号の発生により前記予め設定したx軸解像度とy軸解像度を異なるようにさせることを特徴とする。
【発明を実施するための最良の形態】
【０００７】
図１に本発明の実施例におけるポインター装置のブロック図を示す。本実施例において、ポインター装置１００はホットキー１０３、マイクロプロセッサー１０６、光学センサー１０９を含む。
【０００８】
ユーザーのパソコンにワイドスクリーンが採用されているとき、ユーザーがポインター装置１００のホットキー１０３を押すと、ホットキー１０３は解像度の調整信号をマイクロプロセッサー１０６に送信する。マイクロプロセッサー１０６が解析度の調整信号を受信するとハードウェア内の補間（interpolation）演算処理を起動する。本実施例では、光学センサー１０９に予め設定されているx軸解像度とy軸解像度が800dpiであり、且つポインター装置１００は二次元平面で移動する方向と距離を検知するために、マイクロプロセッサー１０６は光学センサー１０９を制御する。
【０００９】
光学センサー１０９は元のx軸とy軸座標を読み取った後、マイクロプロセッサー１０６に送信する。この時、マイクロプロセッサー１０６はx軸解像度に対し補間処理を行い、x軸解像度を800dpiから1280dpiに引き上げる。続いて、マイクロプロセッサー１０６はx軸解像度1280dpiと元のx軸座標に基づき計算を行い、新しいx軸座標を得る。最後に、マイクロプロセッサー１０６は元のy軸座標と新しいx軸座標をパソコン（図には示していない）に送信し、パソコン（図には示していない）によりスクリーン（図には示していない）上に表示される。x軸解像度が1280dpiである場合、ユーザーがポインター装置１００を操作するとき、同様の横移動において、スクリーン上のカーソルは比較的大きなシフト幅を有する。
【００１０】
以上の説明から分かるように、本実施例でユーザーはホットキー１０３を押すことにより、マイクロプロセッサー１０６がx軸解像度に対する補間演算処理を起動し、ポインター装置１００のx軸解像度とy軸解像度を予め設定されていた800*800dpiから1280*1280dpiに引き上げるので、ポインター装置１００がワイドスクリーンで用いられるのに適する。
【００１１】
図２に第一の実施例に合致するフローチャートを示す。工程２００では、ユーザーがポインター装置の操作をスタートする。工程２０３では、ポインター装置内の光学センサーが元のx軸座標とy軸座標をマイクロプロセッサーに送信する。工程２０６では、ユーザーがホットキーを押したかどうか判断し、もし押していたら工程２０９を実行し、押していなければ工程２１２を実行する。工程２０９では、マイクロプロセッサー１０６がx軸解像度に対し補間処理を行い、x軸解像度を800dpiから1280dpiに引き上げる。y軸解像度に対しては処理を行わず、工程２１２を行う。工程２１２では、マイクロプロセッサーがx軸とy軸解像度と光学センサーにより送信される元のx軸座標とy軸座標に基づいて、カーソルのスクリーン上における表示位置を計算し、パソコン本体に送信する。最後に工程２１５で、パソコン本体がカーソル位置をスクリーン上に表示する。
【００１２】
図３に本発明の別の実施例におけるポインター装置のブロック図を示す。本実施例のポインター装置３００はホットキー３０３、マイクロプロセッサー３０６、光学センサー３０９を含む。ユーザーがポインター装置３００のホットキー３０３を押すと、ホットキー３０３は解像度の調整信号をマイクロプロセッサー３０６に送信する。マイクロプロセッサー３０６が解析度の調整信号を受信すると、調整信号を光学センサー３０９に送信する。光学センサー３０９に予め設定されているx軸解像度とy軸解像度は800dpiであるが、調整信号を受信すると、x軸解像度を1280dpiに調整し、y軸解像度を元の800dpiに維持する。
【００１３】
光学センサー３０９がx軸とy軸座標を得た後、マイクロプロセッサー３０６に送信する。最後にマイクロプロセッサー３０６はy軸座標とx軸座標をパソコン（図には示していない）に送信し、パソコン（図には示していない）によりスクリーン（図には示していない）上に表示される。
【００１４】
以上の説明から分かるように、本実施例でユーザーはホットキー３０３を押すことにより、光学センサー３０９のx軸解像度を調整し、1280dpiのx軸解像度と800dpiのy軸解像度に基づいてx軸とy軸座標を得、カーソルのスクリーン上における対応位置を表示する。
【００１５】
図４に第三の実施例に合致するフローチャートを示す。工程４００では、ユーザーがポインター装置の操作をスタートする。工程４０３では、ポインター装置内の光学センサーが元のx軸座標とy軸座標をマイクロプロセッサーに送信する。工程４０６では、ユーザーがホットキーを押したかどうか判断し、もし押していたら工程４０９を実行し、押していなければ工程４１２を実行する。工程４０９では、マイクロプロセッサーが調整信号を光学センサーに送信し、x軸解像度を800dpiから1280dpiに引き上げる。y軸解像度に対しては処理を行わず、工程４１２を行う。工程４１２では、マイクロプロセッサーが光学センサーにより送信されるx軸座標とy軸座標及びx軸解像度とy軸解像度に基づいて、カーソルのスクリーン上における表示位置を計算し、パソコン本体に送信する。最後に工程２１５で、パソコン本体がカーソル位置をスクリーン上に表示する。
【００１６】
本発明はポインター装置のx軸解像度が800dpiから1280dpiに引き上げられることには限定されない。本発明は実施できる範囲におけるあらゆるポインター装置でx軸解像度をy軸解像度よりも大きくして用いることができる。以上述べたことは、本発明における最良の実施例にすぎず、本発明の特徴はこれだけに限られず、本発明を制限するものではない。本発明のすべての範囲は上記の請求範囲に準じ、本発明の請求範囲の主旨と類似した実施例に合致し、本発明の範疇に属する。この領域を熟知している技術者が、本特許の範囲内で、手を加え、変更したものはすべて、上記の特許請求の範囲内に含まれる。
【図面の簡単な説明】
【００１７】
【図１】は本発明の実施例におけるポインター装置を示すブロック図。
【図２】は本発明の実施例を示すフローチャート。
【図３】は本発明の別の実施例におけるポインター装置を示すブロック図。
【図４】は本発明の別の実施例を示すフローチャート。
【符号の説明】
【００１８】
１００、３００  ポインター装置
１０３、３０３  ホットキー
１０６、３０６  マイクロプロセッサー
１０９、３０９  光学センサー
【図１】
2008130076.tif 000003
【図２】
2008130076.tif 000004
【図３】
2008130076.tif 000005
【図４】
2008130076.tif 000006